【手続補正書】
【提出日】平成18年2月27日(2006.2.27)
【手続補正１】
【補正対象書類名】明細書
【補正対象項目名】発明の名称
【補正方法】変更
【補正の内容】
【発明の名称】画像記録装置、管理装置、カラープルーフ作成システム、情報処理方法
【手続補正２】
【補正対象書類名】明細書
【補正対象項目名】特許請求の範囲
【補正方法】変更
【補正の内容】
【特許請求の範囲】
【請求項１】
複数の発色層からなる感光材料を複数の各光源により露光し、前記感光材料に画像を記録する画像記録装置であって、
前記感光材料の濃度に応じた露光量に関する特性情報を、前記各発色層の色毎に記憶した特性情報記憶手段と、
前記特性情報記憶手段の前記特性情報に基づいて、前記色毎の前記感光材料の濃度変化に応じて前記複数の光源の露光量を調整制御する制御手段と、
を含むことを特徴とする画像記録装置。
【請求項２】
複数の発色層からなる感光材料を、波長の異なる光を発する複数の各光源により露光して画像を記録する画像記録装置であって、
前記光源による露光により再現可能な再現色に応じた前記感光材料の各発色層の各濃度を設定する濃度設定手段と、
前記濃度設定手段にて設定された各発色層の各濃度に基づいて、前記複数の各光源の各露光量を算出し、前記複数の光源の各露光量を調整制御する制御手段と、
を含むことを特徴とする画像記録装置。
【請求項３】
各色分解網原稿の網点画像データを面順次に画像記録装置に転送して、複数の発色層からなる感光材料を、複数の光源により露光することによりカラープルーフを得るための前記画像記録装置を管理する管理装置であって、
前記感光材料の濃度に応じた露光量に関する特性情報を、前記各発色層の色毎に記憶した特性情報記憶手段と、
前記特性情報記憶手段の前記特性情報に基づいて、前記色毎の前記感光材料の濃度変化に応じて対応する前記複数の光源の露光量を演算処理する演算手段と、
前記演算手段にて演算された前記各露光量に関する情報を前記画像記録装置に対して転送する制御を行う管理制御手段と、
を含むことを特徴とする管理装置。
【請求項４】
各色分解網原稿の網点画像データを面順次に画像記録装置に転送して、複数の発色層からなる感光材料を、複数の光源により露光することによりカラープルーフを得るための前記画像記録装置を管理する管理装置であって、
前記光源による露光により再現可能な再現色に応じた前記感光材料の各発色層の各濃度を各々設定可能な濃度設定手段と、
前記濃度設定手段にて設定された設定濃度に基づいて、前記発色層の各色毎の前記感光材料の濃度変化に応じて対応する前記複数の光源の露光量を演算処理する演算手段と、
を含むことを特徴とする管理装置。
【請求項５】
画像を編集する画像編集用の一又は複数の情報端末と、
複数の前記情報端末と通信網を介して通信可能とされ、各前記情報端末にて各々編集された各画像編集ファイルを受信し、各前記画像編集ファイルの各々の複数色よりなる画像データを各々展開分版して各組の各色版データとし、この各色版データを各々面順次で送信する画像処理装置と、
前記画像処理装置と前記通信網を介して通信可能とされ、前記各色版データに基づいて、カラープルーフを各々作成出力する、請求項１乃至請求項２のいずれか一項に記載の一又は複数の画像記録装置と、
を含むことを特徴とするカラープルーフ作成システム。
【請求項６】
画像を編集する画像編集用の一又は複数の情報端末と、
複数の前記情報端末と通信網を介して通信可能とされ、各前記情報端末にて各々編集された各画像編集ファイルを受信し、各前記画像編集ファイルの各々の複数色よりなる画像データを各々展開分版して各組の各色版データとし、この各色版データを各々面順次で送信する画像処理装置と、
前記画像処理装置と前記通信網を介して通信可能とされ、前記各色版データに基づいて、カラープルーフを各々作成出力する、請求項１乃至請求項２のいずれか一項に記載の一又は複数の画像記録装置と、
前記画像記録装置と前記通信網を介して通信可能とされ、前記画像記録装置を管理するホストと、
を含むことを特徴とするカラープルーフ作成システム。
【請求項７】
画像を編集する画像編集用の一又は複数の情報端末を含むデザインシステムと、
複数の前記情報端末と通信網を介して通信可能とされ、各前記情報端末にて各々編集された各画像編集ファイルを受信し、各前記画像編集ファイルの各々の複数色よりなる画像データを各々展開分版して各組の各色版データとし、この各色版データを各々面順次で送信する画像処理装置とを含むフロントシステムと、
前記画像処理装置と前記通信網を介して通信可能とされ、前記各色版データに基づいて、カラープルーフを各々作成出力する、請求項１乃至請求項２のいずれか一項に記載の一又は複数の画像記録装置と、
前記画像記録装置と前記通信網を介して通信可能とされ、前記画像記録装置を管理する一又は複数のサブホストを含むホストシステムと、
前記サブホストと前記通信網を介して通信可能とされ、前記サブホストを管理する一又は複数のホストを含むセンターシステムと、
を含むことを特徴とするカラープルーフ作成システム。
【請求項８】
画像を編集する画像編集用の複数の情報端末と、
複数の前記情報端末と通信網を介して通信可能とされ、各前記情報端末にて各々編集された各画像編集ファイルを受信し、各前記画像編集ファイルの各々の複数色よりなる画像データを各々展開分版して各組の各色版データとし、この各色版データを各々面順次で送信する画像処理装置と、
前記画像処理装置と前記通信網を介して通信可能とされ、前記各色版データに基づいて、カラープルーフを各々作成出力する複数の画像記録装置と、
を含み、
前記画像処理装置は、前記光源による露光により再現可能な再現色に応じた前記感光材料の各発色層の各濃度を各々設定可能な濃度設定手段を有し、
前記画像記録装置は、前記濃度設定手段にて設定された設定濃度に基づいて、前記発色層の各色毎の前記感光材料の濃度変化に応じて対応する前記複数の光源の露光量を調整制御する制御手段を有することを特徴とするカラープルーフ作成システム。
【請求項９】
複数の発色層からなる感光材料を複数の各光源により露光することで前記感光材料に画像を記録するために必要な情報処理を行う情報処理方法であって、
前記光源による露光により再現可能な再現色に応じた前記感光材料の各発色層の各濃度が各々設定されるステップと、
設定された設定濃度に基づいて、前記感光材料の濃度に応じた露光量に関する特性情報を参照して前記複数の光源の露光量を演算する演算ステップと、
を含むことを特徴とする情報処理方法。
【手続補正３】
【補正対象書類名】明細書
【補正対象項目名】００２０
【補正方法】変更
【補正の内容】
【００２０】
また、上記目的を達成するために、画像記録装置は、前記光源による露光により再現可能な再現色に応じた前記感光材料の各発色層の各濃度を各々設定可能な濃度設定手段をさらに有し、前記制御手段は、前記濃度設定手段にて設定された設定濃度値に基づいて、前記特性情報記憶手段の特性情報を参照して前記複数の光源の露光量を調整制御することを特徴としている。
【手続補正４】
【補正対象書類名】明細書
【補正対象項目名】００２１
【補正方法】変更
【補正の内容】
【００２１】
また、上記目的を達成するために、画像記録装置は、前記特性情報は、予め装置により出力した特定の露光量毎のグラデーションチャートを備えた印刷物を濃度計により測定した結果をテーブル化した基準濃度テーブルとして構成されることを特徴としている。
【手続補正５】
【補正対象書類名】明細書
【補正対象項目名】００２２
【補正方法】変更
【補正の内容】
【００２２】
また、上記目的を達成するために、画像記録装置は、前記基準濃度テーブルは、前記感光材料の種類に応じて各々形成され、前記制御手段は、前記感光材料の種類に応じた基準濃度テーブルを選択し、選択された当該基準濃度テーブルに基づいて、前記複数の光源の露光量を調整制御することを特徴としている。
【手続補正６】
【補正対象書類名】明細書
【補正対象項目名】００２３
【補正方法】変更
【補正の内容】
【００２３】
また、上記目的を達成するために、画像記録装置は、前記感光材料の製造からの経過時間の変化に応じて前記特性情報の濃度を補正する第１の補正手段をさらに有し、前記制御手段は、前記第１の補正手段にて補正された特性情報に基づいて、前記複数の光源の露光量を調整制御することを特徴としている。
【手続補正７】
【補正対象書類名】明細書
【補正対象項目名】００２４
【補正方法】変更
【補正の内容】
【００２４】
また、上記目的を達成するために、画像記録装置は、前記画像記録装置が設置される環境に応じて前記特性情報の濃度を補正する第２の補正手段をさらに有し、前記制御手段は、前記第２の補正手段にて補正された特性情報に基づいて、前記複数の光源の露光量を調整制御することを特徴としている。
【手続補正８】
【補正対象書類名】明細書
【補正対象項目名】００２５
【補正方法】変更
【補正の内容】
【００２５】
また、上記目的を達成するために、画像記録装置は、前記第２の補正手段は、前記環境の温度に応じて前記特性情報の濃度を補正することを特徴としている。
【手続補正９】
【補正対象書類名】明細書
【補正対象項目名】００２６
【補正方法】変更
【補正の内容】
【００２６】
また、上記目的を達成するために、画像記録装置は、前記第２の補正手段は、前記環境の湿度に応じて前記特性情報の濃度を補正することを特徴としている。
【手続補正１０】
【補正対象書類名】明細書
【補正対象項目名】００２７
【補正方法】変更
【補正の内容】
【００２７】
また、上記目的を達成するために、画像記録装置は、前記濃度設定手段は、前記感光材料の種類毎に、前記再現色に対応した前記発色層の濃度を設定可能に形成されることを特徴としている。
【手続補正１１】
【補正対象書類名】明細書
【補正対象項目名】００２８
【補正方法】変更
【補正の内容】
【００２８】
また、上記目的を達成するために、画像記録装置は、前記再現色と前記濃度設定手段により設定された前記発色層の濃度との対応関係を定義したカラーコレクションテーブルを、前記感光材料ないしは印刷に利用されるインクの種類毎にチャンネル化して記憶したカラーコレクションテーブル記憶手段を有し、前記制御手段は、選択指定されたチャンネルのカラーコレクションテーブルに基づいて、前記再現色に対応する前記複数の光源の露光量を調整制御することを特徴としている。
【手続補正１２】
【補正対象書類名】明細書
【補正対象項目名】００２９
【補正方法】変更
【補正の内容】
【００２９】
また、上記目的を達成するために、画像記録装置は、選択指定されたチャンネルの前記カラーコレクションテーブルに対して露光適正補正を行う第３の補正手段をさらに有し、前記制御手段は、前記第３の補正手段にて補正されたテーブルの濃度情報に基づいて、前記特性情報を参照しつつ前記複数の各光源の露光量を調整制御することを特徴としている。
【手続補正１３】
【補正対象書類名】明細書
【補正対象項目名】００３０
【補正方法】変更
【補正の内容】
【００３０】
また、上記目的を達成するために、画像記録装置は、前記第３の補正手段は、前記カラーコレクションテーブルに対して多重露光補正を行うことを特徴としている。
【手続補正１４】
【補正対象書類名】明細書
【補正対象項目名】００３１
【補正方法】変更
【補正の内容】
【００３１】
また、上記目的を達成するために、画像記録装置は、前記第３の補正手段は、前記カラーコレクションテーブルに対してラスタースムージング補正を行うことを特徴としている。
【手続補正１５】
【補正対象書類名】明細書
【補正対象項目名】００３２
【補正方法】変更
【補正の内容】
【００３２】
また、上記目的を達成するために、画像記録装置は、前記複数の光源の露光量と、前記複数の光源を駆動するための駆動電流の出力との対応関係を定義した出力テーブルを記憶した出力テーブル記憶手段を有し、前記制御手段は、前記出力テーブルに基づいて、前記露光量から対応する駆動電流を調整制御することを特徴としている。
【手続補正１６】
【補正対象書類名】明細書
【補正対象項目名】００３３
【補正方法】変更
【補正の内容】
【００３３】
また、上記目的を達成するために、画像記録装置は、前記第１の補正手段は、前記感光材料に添付される指数情報に基づいて補正されることを特徴としている。
【手続補正１７】
【補正対象書類名】明細書
【補正対象項目名】００３４
【補正方法】変更
【補正の内容】
【００３４】
また、上記目的を達成するために、画像記録装置は、前記第１の補正手段は、カートリッジ番号を選択的に指定することにより対応する補正濃度テーブルを抽出する形式で補正処理が行われることを特徴としている。
【手続補正１８】
【補正対象書類名】明細書
【補正対象項目名】００３５
【補正方法】変更
【補正の内容】
【００３５】
また、上記目的を達成するために、画像記録装置は、前記第１の補正手段は、前記画像記録装置の機種に応じた前記濃度の変動を補正するキャリブレーション補正を可能に形成することを特徴としている。
【手続補正１９】
【補正対象書類名】明細書
【補正対象項目名】００３６
【補正方法】変更
【補正の内容】
【００３６】
また、上記目的を達成するために、画像記録装置は、前記基準濃度テーブルは、前記濃度値の特定ステップに対応する各光量値のみを規定し、前記制御手段は、各前記特定ステップの間の濃度値である場合には、補間演算により対応する各光量値の組み合わせを算出して、前記露光量を調整制御することを特徴としている。
【手続補正２０】
【補正対象書類名】明細書
【補正対象項目名】００３７
【補正方法】変更
【補正の内容】
【００３７】
また、上記目的を達成するために、請求項２に記載の発明に係る画像記録装置は、複数の発色層からなる感光材料を、波長の異なる光を発する複数の各光源により露光して画像を記録する画像記録装置であって、前記光源による露光により再現可能な再現色に応じた前記感光材料の各発色層の各濃度を設定する濃度設定手段と、前記濃度設定手段にて設定された各発色層の各濃度に基づいて、前記複数の各光源の各露光量を算出し、前記複数の光源の各露光量を調整制御する制御手段と、を含むことを特徴としている。
【手続補正２１】
【補正対象書類名】明細書
【補正対象項目名】００３８
【補正方法】変更
【補正の内容】
【００３８】
また、上記目的を達成するために、請求項３に記載の発明に係る管理装置は、各色分解網原稿の網点画像データを面順次に画像記録装置に転送して、複数の発色層からなる感光材料を、複数の光源により露光することによりカラープルーフを得るための前記画像記録装置を管理する管理装置であって、前記感光材料の濃度に応じた露光量に関する特性情報を、前記各発色層の色毎に記憶した特性情報記憶手段と、前記特性情報記憶手段の前記特性情報に基づいて、前記色毎の前記感光材料の濃度変化に応じて対応する前記複数の光源の露光量を演算処理する演算手段と、前記演算手段にて演算された前記各露光量に関する情報を前記画像記録装置に対して転送する制御を行う管理制御手段と、を含むことを特徴としている。
【手続補正２２】
【補正対象書類名】明細書
【補正対象項目名】００３９
【補正方法】変更
【補正の内容】
【００３９】
また、上記目的を達成するために、管理装置は、前記光源による露光により再現可能な再現色に応じた前記感光材料の各発色層の各濃度を各々設定可能な濃度設定手段をさらに有し、前記演算手段は、前記濃度設定手段にて設定された設定濃度値に基づいて、前記特性情報記憶手段の特性情報を参照して前記複数の光源の露光量を演算することを特徴としている。
【手続補正２３】
【補正対象書類名】明細書
【補正対象項目名】００４０
【補正方法】変更
【補正の内容】
【００４０】
また、上記目的を達成するために、管理装置は、前記特性情報は、予め装置により出力した特定の露光量毎のグラデーションチャートを備えた印刷物を濃度計により測定した結果をテーブル化した基準濃度テーブルとして構成されることを特徴としている。
【手続補正２４】
【補正対象書類名】明細書
【補正対象項目名】００４１
【補正方法】変更
【補正の内容】
【００４１】
また、上記目的を達成するために、係る管理装置は、前記基準濃度テーブルは、前記感光材料の種類に応じて各々形成され、前記演算手段は、前記感光材料の種類に応じた基準濃度テーブルを選択し、選択された当該基準濃度テーブルに基づいて、前記複数の光源の露光量を演算することを特徴としている。
【手続補正２５】
【補正対象書類名】明細書
【補正対象項目名】００４２
【補正方法】変更
【補正の内容】
【００４２】
また、上記目的を達成するために、管理装置は、前記感光材料の製造からの経過時間の変化に応じて前記特性情報の濃度を補正する第１の補正手段をさらに有し、前記演算手段は、前記第１の補正手段にて補正された特性情報に基づいて、前記複数の光源の露光量を演算することを特徴としている。
【手続補正２６】
【補正対象書類名】明細書
【補正対象項目名】００４３
【補正方法】変更
【補正の内容】
【００４３】
また、上記目的を達成するために、管理装置は、前記画像記録装置が設置される環境に応じて前記特性情報の濃度を補正する第２の補正手段をさらに有し、前記演算手段は、前記第２の補正手段にて補正された特性情報に基づいて、前記複数の光源の露光量を演算することを特徴としている。
【手続補正２７】
【補正対象書類名】明細書
【補正対象項目名】００４４
【補正方法】変更
【補正の内容】
【００４４】
また、上記目的を達成するために、管理装置は、前記第２の補正手段は、前記環境の温度に応じて前記特性情報の濃度を補正することを特徴としている。
【手続補正２８】
【補正対象書類名】明細書
【補正対象項目名】００４５
【補正方法】変更
【補正の内容】
【００４５】
また、上記目的を達成するために、管理装置は、前記第２の補正手段は、前記環境の湿度に応じて前記特性情報の濃度を補正することを特徴としている。
【手続補正２９】
【補正対象書類名】明細書
【補正対象項目名】００４６
【補正方法】変更
【補正の内容】
【００４６】
また、上記目的を達成するために、管理装置は、前記濃度設定手段は、前記感光材料の種類毎に、前記再現色に対応した前記発色層の濃度を設定可能に形成されることを特徴としている。
【手続補正３０】
【補正対象書類名】明細書
【補正対象項目名】００４７
【補正方法】変更
【補正の内容】
【００４７】
また、上記目的を達成するために、管理装置は、前記再現色と前記濃度設定手段により設定された前記発色層の濃度との対応関係を定義したカラーコレクションテーブルを、前記感光材料ないしは印刷に利用されるインクの種類毎にチャンネル化して記憶したカラーコレクションテーブル記憶手段を有し、前記演算手段は、選択指定されたチャンネルのカラーコレクションテーブルに基づいて、前記再現色に対応する前記複数の光源の露光量を演算することを特徴としている。
【手続補正３１】
【補正対象書類名】明細書
【補正対象項目名】００４８
【補正方法】変更
【補正の内容】
【００４８】
また、上記目的を達成するために、管理装置は、選択指定されたチャンネルの前記カラーコレクションテーブルに対して露光適正補正を行う第３の補正手段をさらに有し、前記演算手段は、前記第３の補正手段にて補正されたテーブルの濃度情報に基づいて、前記特性情報を参照しつつ前記複数の各光源の露光量を演算することを特徴としている。
【手続補正３２】
【補正対象書類名】明細書
【補正対象項目名】００４９
【補正方法】変更
【補正の内容】
【００４９】
また、上記目的を達成するために、管理装置は、前記第３の補正手段は、前記カラーコレクションテーブルに対して多重露光補正を行うことを特徴としている。
【手続補正３３】
【補正対象書類名】明細書
【補正対象項目名】００５０
【補正方法】変更
【補正の内容】
【００５０】
また、上記目的を達成するために、管理装置は、前記第３の補正手段は、前記カラーコレクションテーブルに対してラスタースムージング補正を行うことを特徴としている。
【手続補正３４】
【補正対象書類名】明細書
【補正対象項目名】００５１
【補正方法】変更
【補正の内容】
【００５１】
また、上記目的を達成するために、管理装置は、前記複数の光源の露光量と、前記複数の光源を駆動するための駆動電流の出力との対応関係を定義した出力テーブルを記憶した出力テーブル記憶手段を有し、前記演算手段は、前記出力テーブルに基づいて、前記露光量から対応する駆動電流を算出することを特徴としている。
【手続補正３５】
【補正対象書類名】明細書
【補正対象項目名】００５２
【補正方法】変更
【補正の内容】
【００５２】
また、上記目的を達成するために、管理装置は、前記第１の補正手段は、前記感光材料に添付される指数情報に基づいて補正されることを特徴としている。
【手続補正３６】
【補正対象書類名】明細書
【補正対象項目名】００５３
【補正方法】変更
【補正の内容】
【００５３】
また、上記目的を達成するために、管理装置は、前記第１の補正手段は、カートリッジ番号を選択的に指定することにより対応する補正濃度テーブルを抽出する形式で補正処理が行われることを特徴としている。
【手続補正３７】
【補正対象書類名】明細書
【補正対象項目名】００５４
【補正方法】変更
【補正の内容】
【００５４】
また、上記目的を達成するために、管理装置は、前記第１の補正手段は、前記画像記録装置の機種に応じた前記濃度の変動を補正するキャリブレーション補正を可能に形成されることを特徴としている。
【手続補正３８】
【補正対象書類名】明細書
【補正対象項目名】００５５
【補正方法】変更
【補正の内容】
【００５５】
また、上記目的を達成するために、管理装置は、前記基準濃度テーブルは、前記濃度値の特定ステップに対応する各光量値のみを規定し、前記演算手段は、各前記特定ステップの間の濃度値である場合には、補間演算により対応する各光量値の組み合わせを算出して、前記露光量を演算することを特徴としている。
【手続補正３９】
【補正対象書類名】明細書
【補正対象項目名】００５６
【補正方法】変更
【補正の内容】
【００５６】
また、上記目的を達成するために、請求項４に記載の発明に係る管理装置は、各色分解網原稿の網点画像データを面順次に画像記録装置に転送して、複数の発色層からなる感光材料を、複数の光源により露光することによりカラープルーフを得るための前記画像記録装置を管理する管理装置であって、前記光源による露光により再現可能な再現色に応じた前記感光材料の各発色層の各濃度を各々設定可能な濃度設定手段と、前記濃度設定手段にて設定された設定濃度に基づいて、前記発色層の各色毎の前記感光材料の濃度変化に応じて対応する前記複数の光源の露光量を演算処理する演算手段と、を含むことを特徴としている。
【手続補正４０】
【補正対象書類名】明細書
【補正対象項目名】００５７
【補正方法】変更
【補正の内容】
【００５７】
また、上記目的を達成するために、カラープルーフ作成システムは、上述のいずれかに記載の一又は複数の画像記録装置と、前記画像記録装置と通信網を介して通信可能に形成され、上述のいずれかに記載の一又は複数の管理装置とを含むことを特徴としている。
【手続補正４１】
【補正対象書類名】明細書
【補正対象項目名】００５８
【補正方法】変更
【補正の内容】
【００５８】
また、上記目的を達成するために、請求項５に記載の発明に係るカラープルーフ作成システムは、画像を編集する画像編集用の一又は複数の情報端末と、複数の前記情報端末と通信網を介して通信可能とされ、各前記情報端末にて各々編集された各画像編集ファイルを受信し、各前記画像編集ファイルの各々の複数色よりなる画像データを各々展開分版して各組の各色版データとし、この各色版データを各々面順次で送信する画像処理装置と、前記画像処理装置と前記通信網を介して通信可能とされ、前記各色版データに基づいて、カラープルーフを各々作成出力する、上述のいずれかに記載の一又は複数の画像記録装置と、を含むことを特徴としている。
【手続補正４２】
【補正対象書類名】明細書
【補正対象項目名】００５９
【補正方法】変更
【補正の内容】
【００５９】
また、上記目的を達成するために、請求項６に記載の発明に係るカラープルーフ作成システムは、画像を編集する画像編集用の一又は複数の情報端末と、複数の前記情報端末と通信網を介して通信可能とされ、各前記情報端末にて各々編集された各画像編集ファイルを受信し、各前記画像編集ファイルの各々の複数色よりなる画像データを各々展開分版して各組の各色版データとし、この各色版データを各々面順次で送信する画像処理装置と、前記画像処理装置と前記通信網を介して通信可能とされ、前記各色版データに基づいて、カラープルーフを各々作成出力する、上述のいずれかに記載の一又は複数の画像記録装置と、前記画像記録装置と前記通信網を介して通信可能とされ、前記画像記録装置を管理するホストと、を含むことを特徴としている。
【手続補正４３】
【補正対象書類名】明細書
【補正対象項目名】００６０
【補正方法】変更
【補正の内容】
【００６０】
また、上記目的を達成するために、請求項７に記載の発明に係るカラープルーフ作成システムは、画像を編集する画像編集用の一又は複数の情報端末を含むデザインシステムと、複数の前記情報端末と通信網を介して通信可能とされ、各前記情報端末にて各々編集された各画像編集ファイルを受信し、各前記画像編集ファイルの各々の複数色よりなる画像データを各々展開分版して各組の各色版データとし、この各色版データを各々面順次で送信する画像処理装置とを含むフロントシステムと、前記画像処理装置と前記通信網を介して通信可能とされ、前記各色版データに基づいて、カラープルーフを各々作成出力する、上述のいずれかに記載の画像記録装置と、前記画像記録装置と前記通信網を介して通信可能とされ、前記画像記録装置を管理する一又は複数のサブホストを含むホストシステムと、前記サブホストと前記通信網を介して通信可能とされ、前記サブホストを管理する一又は複数のホストを含むセンターシステムと、を含むことを特徴としている。
【手続補正４４】
【補正対象書類名】明細書
【補正対象項目名】００６１
【補正方法】変更
【補正の内容】
【００６１】
また、上記目的を達成するために、請求項８に記載の発明に係るカラープルーフ作成システムは、画像を編集する画像編集用の複数の情報端末と、複数の前記情報端末と通信網を介して通信可能とされ、各前記情報端末にて各々編集された各画像編集ファイルを受信し、各前記画像編集ファイルの各々の複数色よりなる画像データを各々展開分版して各組の各色版データとし、この各色版データを各々面順次で送信する画像処理装置と、前記画像処理装置と前記通信網を介して通信可能とされ、前記各色版データに基づいて、カラープルーフを各々作成出力する複数の画像記録装置と、を含み、前記画像処理装置は、前記光源による露光により再現可能な再現色に応じた前記感光材料の各発色層の各濃度を各々設定可能な濃度設定手段を有し、前記画像記録装置は、前記濃度設定手段にて設定された設定濃度に基づいて、前記発色層の各色毎の前記感光材料の濃度変化に応じて対応する前記複数の光源の露光量を調整制御する制御手段を有することを特徴としている。
【手続補正４５】
【補正対象書類名】明細書
【補正対象項目名】００６２
【補正方法】変更
【補正の内容】
【００６２】
また、上記目的を達成するために、請求項９に記載の発明に係る情報処理方法は、複数の発色層からなる感光材料を複数の各光源により露光することで前記感光材料に画像を記録するために必要な情報処理を行う情報処理方法であって、前記光源による露光により再現可能な再現色に応じた前記感光材料の各発色層の各濃度が各々設定されるステップと、設定された設定濃度に基づいて、前記感光材料の濃度に応じた露光量に関する特性情報を参照して前記複数の光源の露光量を演算する演算ステップと、を含むことを特徴としている。
【手続補正４６】
【補正対象書類名】明細書
【補正対象項目名】００６３
【補正方法】変更
【補正の内容】
【００６３】
また、上記目的を達成するために、情報処理方法は、前記特性情報を、予め装置により出力した特定の露光量毎のグラデーションチャートを備えた印刷物を濃度計により測定した結果をテーブル化した基準濃度テーブルを作成することにより形成するステップを含むこと特徴としている。
【手続補正４７】
【補正対象書類名】明細書
【補正対象項目名】００６４
【補正方法】変更
【補正の内容】
【００６４】
また、上記目的を達成するために、情報処理方法は、前記感光材料の種類に応じた基準濃度テーブルを選択するステップを有し、前記演算ステップは、選択された当該基準濃度テーブルに基づいて、前記複数の光源の露光量を演算することを特徴としている。
【手続補正４８】
【補正対象書類名】明細書
【補正対象項目名】００６５
【補正方法】変更
【補正の内容】
【００６５】
また、上記目的を達成するために、情報処理方法は、前記感光材料の製造からの経過時間の変化に応じて前記特性情報の濃度を補正する第１補正ステップをさらに有することを特徴としている。
【手続補正４９】
【補正対象書類名】明細書
【補正対象項目名】００６６
【補正方法】変更
【補正の内容】
【００６６】
また、上記目的を達成するために、情報処理方法は、前記感光材料に画像を記録する画像記録装置が設置される環境に応じて前記特性情報の濃度を補正する第２補正ステップをさらに有することを特徴としている。
【手続補正５０】
【補正対象書類名】明細書
【補正対象項目名】００６７
【補正方法】変更
【補正の内容】
【００６７】
また、上記目的を達成するために、情報処理方法は、前記第２補正ステップは、前記環境の温度に応じて前記特性情報の濃度を補正することを特徴としている。
【手続補正５１】
【補正対象書類名】明細書
【補正対象項目名】００６８
【補正方法】変更
【補正の内容】
【００６８】
また、上記目的を達成するために、情報処理方法は、前記第２補正ステップは、前記環境の湿度に応じて前記特性情報の濃度を補正することを特徴としている。
【手続補正５２】
【補正対象書類名】明細書
【補正対象項目名】００６９
【補正方法】変更
【補正の内容】
【００６９】
また、上記目的を達成するために、情報処理方法は、前記感光材料ないしは印刷に利用されるインクの種類毎にチャンネル化された、前記再現色と設定された前記発色層の濃度との対応関係を定義したカラーコレクションテーブルが、選択されるステップを有し、前記演算ステップは、選択指定されたチャンネルのカラーコレクションテーブルに基づいて、前記再現色に対応する前記複数の光源の露光量を演算することを特徴としている。
【手続補正５３】
【補正対象書類名】明細書
【補正対象項目名】００７０
【補正方法】変更
【補正の内容】
【００７０】
また、上記目的を達成するために、情報処理方法は、選択指定されたチャンネルの前記カラーコレクションテーブルに対して露光適正補正を行う第３補正ステップをさらに有することを特徴としている。
【手続補正５４】
【補正対象書類名】明細書
【補正対象項目名】００７１
【補正方法】変更
【補正の内容】
【００７１】
また、上記目的を達成するために、情報処理方法は、前記第３補正ステップは、前記カラーコレクションテーブルに対して多重露光補正を行うことを特徴としている。
【手続補正５５】
【補正対象書類名】明細書
【補正対象項目名】００７２
【補正方法】変更
【補正の内容】
【００７２】
また、上記目的を達成するために、情報処理方法は、前記第３補正ステップは、前記カラーコレクションテーブルに対してラスタースムージング補正を行うことを特徴としている。
【手続補正５６】
【補正対象書類名】明細書
【補正対象項目名】００７３
【補正方法】変更
【補正の内容】
【００７３】
また、上記目的を達成するために、情報処理方法は、前記複数の光源の露光量に基づいて、前記複数の光源を駆動するための駆動電流の出力を算出するステップをさらに有することを特徴としている。
【手続補正５７】
【補正対象書類名】明細書
【補正対象項目名】００７４
【補正方法】変更
【補正の内容】
【００７４】
また、上記目的を達成するために、情報処理方法は、前記基準濃度テーブルは、前記濃度の特定ステップに対応する各露光量のみを規定し、各前記特定ステップの間の濃度である場合に、対応する露光量を補間演算により算出するステップを有することを特徴としている。
【手続補正５８】
【補正対象書類名】明細書
【補正対象項目名】００７５
【補正方法】変更
【補正の内容】
【００７５】
また、上記目的を達成するために、上述のいずれかの情報処理方法をコンピュータにおいて実行させるためのプログラムを定義し、コンピュータにより読み出し可能な、前記プログラムを記録した情報記録媒体を定義している。